(57)【要約】      （修正有）【課題】粒体（ブリオン）で爪を装飾するネイルアートの作業を短時間で容易に行える粒体取り付け具を提供する。【解決手段】多数のブリオン５を収納した粒体収納ケース５０と粒体収納ケースからブリオンを一つずつ供給する粒体供給機構６０を内部に備えたケーシング１０の側面に押しボタン機構３０を設け、一つのブリオンを粒体収納ケースからケーシング先端の筒状取出口２０へ供給する動作を押しボタン機構の１回の押し込み動作により行い、筒状取出口でブリオンを爪に取り付けるようにする。【選択図】図３
0003192966.tif 000002
【実用新案登録請求の範囲】
【請求項１】
爪を装飾するのに用いられる多数の粒体（5）を収納した粒体収納ケース（50）と、
上記粒体（5）を一つずつ取り出して装飾対象の爪に取り付ける筒状取出口（20）と、
上記粒体収納ケース（50）と筒状取出口（20）との間に装着され、粒体収納ケース（50）から筒状取出口（20）へ粒体（5）を一つずつ供給する粒体供給機構（60）と、
上記粒体収納ケース（50）と粒体供給機構（60）とを収納し、筒状取出口（20）を先端部が露出した状態で保持するケーシング（10）と、
上記ケーシング（10）に設けられた押しボタン機構（30）と、
上記押しボタン機構（30）の１回の押し込み動作により上記粒体供給機構（60）で粒体（5）を１つ供給する供給動作を行う駆動機構（70）と、を備えていることを特徴とするネイルアートの粒体取り付け具。
【請求項２】
請求項１において、
上記ケーシング（10）が細長いペン型の筒状容器であって、該ケーシング（10）の先端から筒状取出口（20）が突出し、
上記押しボタン機構（30）が、上記ケーシング（10）の外周面から突出する押しボタン（31）をケーシング（10）の中心に向かって押し込むように構成されていることを特徴とするネイルアートの粒体取り付け具。
【請求項３】
請求項２において、
上記粒体供給機構（60）は、上記粒体収納ケース（50）の内部と上記筒状取出口（20）の内部のいずれにも連通可能な複数の粒体収納凹部（62）が外周面に形成された円板状供給部材（61）を間欠的に回転させることにより、粒体（5）を粒体収納ケース（50）から筒状取出口（20）に供給する間欠回転形の供給機構であり、かつ、円板状供給部材（61）の両側に、粒体収納ケース（50）に連通する供給側通路（65）と筒状取出口（20）に連通する排出側通路（66）を有する筒状部材（64）を備え、
上記駆動機構（70）は、上記押しボタン（31）を押し込むことにより上記円板状供給部材（61）を間欠的に回転させるラチェット（71）を有する機構により構成されていることを特徴とするネイルアートの粒体取り付け具。
【請求項４】
請求項１から３の何れか１つにおいて、
上記粒体収納ケース（50）が透光性を有する材料により形成され、
上記ケーシング（10）には、上記粒体収納ケース（50）内の粒体（5）の残量を該部から確認するための残量表示用スリット（15）が形成されていることを特徴とするネイルアートの粒体取り付け具。
【請求項５】
請求項１から４の何れか１つにおいて、
上記ケーシング（10）に装着して上記筒状取出口（20）を覆うキャップ（40）を備え、
上記キャップ（40）の縁部が、上記押しボタン（31）の押し込み動作を阻止するストッパ（41）になっていることを特徴とするネイルアートの粒体取り付け具。
【考案の詳細な説明】
【技術分野】
【０００１】
本考案は、ネイルアートの作業の際にブリオンと呼ばれる小さな粒体を爪に取り付けるのに用いる粒体取り付け具に関するものである。
【背景技術】
【０００２】
従来、ネイルアートの一つの手法として、紫外線硬化型のジェルと装飾用の小さな粒体（ブリオンやスタッズ）とを用いた手法が知られている。このジェルとブリオン（またはスタッズ）を用いたネイルアートでは、ジェルを爪に塗布して硬化する前にブリオンを爪にちりばめて装飾し、ジェルを紫外線の照射により硬化させる作業が行われる。その後、爪にトップコートが施される。
【０００３】
このタイプのネイルアートは、一般に、ネイルアートの専門店において専門家によるサービスが提供されている。また、ブリオンで爪を装飾する際には、ピンセット(例えば特許文献１参照)を用いたり、先端に粘着性を有するネイルアートスティックと呼ばれる棒状の器具（例えば特許文献２参照）を用いたりして、ブリオンを容器から一粒ずつ取り出しながら爪に付けていく作業を行うのが一般的であった。
【先行技術文献】
【特許文献】
【０００４】
【特許文献１】特開２０１３−２３６８８２号公報
【特許文献２】特開２０１１−１９３９７７号公報
【考案の概要】
【考案が解決しようとする課題】
【０００５】
しかしながら、上記の従来のやり方では、容器の中にたくさん入っているブリオンをピンセットやネイルアートスティックで一つずつ爪に付けていく作業中にブリオンを落としてしまうおそれがあるし、ブリオンを落とさないように細心の注意を払って作業をすると作業時間が長くなるなど、作業を短時間で容易に行うのが難しいという問題があった。
【０００６】
本考案は、このような問題点に鑑みてなされたものであり、その目的は、爪をブリオンやスタッズなどの粒体で装飾するネイルアートの作業を短時間で容易に行えるようにすることである。
【課題を解決するための手段】
【０００７】
第１の考案は、ネイルアートの粒体取り付け具であって、爪を装飾するのに用いられる多数の粒体（5）を収納した粒体収納ケース（50）と、上記粒体（5）を一つずつ取り出して装飾対象の爪に取り付ける筒状取出口（20）と、上記粒体収納ケース（50）と筒状取出口（20）との間に装着され、粒体収納ケース（50）から筒状取出口（20）へ粒体（5）を一つずつ供給する粒体供給機構（60）と、上記粒体収納ケース（50）と粒体供給機構（60）とを収納し、筒状取出口（20）を先端部が露出した状態で保持するケーシング（10）と、上記ケーシング（10）に設けられた押しボタン機構（30）と、上記押しボタン機構（30）の１回の押し込み動作により上記粒体供給機構（60）で粒体（5）を１つ供給する供給動作を行う駆動機構（70）と、を備えていることを特徴としている。
【０００８】
この第１の考案では、ネイルアートの作業をする人がケーシング（10）を手に持って押しボタン機構（30）を１回押し込む操作を行うと、駆動機構（70）によって粒体供給機構（60）の供給動作が行われ、粒体収納ケース（50）から筒状取出口（20）へ粒体（5）が一つずつ供給される。筒状取出口（20）へ供給された粒体（5）は、ジェルなどを塗布した装飾対象の爪に１粒ずつ容易に取り付けることができる。
【０００９】
第２の考案は、第１の考案において、上記ケーシング（10）が細長いペン型の筒状容器であって該ケーシング（10）の先端から筒状取出口（20）が突出し、上記押しボタン機構（30）が、上記ケーシング（10）の外周面から突出する押しボタン（31）をケーシング（10）の中心に向かって押し込むように構成されていることを特徴としている。
【００１０】
この第２の考案では、ケーシング（10）を手に持った状態で例えば人差し指を押しボタン（31）に乗せておけば、押しボタン（31）の操作を人差し指で押し込むだけで簡単に行える。
【００１１】
第３の考案は、第２の考案において、上記粒体供給機構（60）が、上記粒体収納ケース（50）の内部と上記筒状取出口（20）の内部のいずれにも連通可能な複数の粒体収納凹部（62）が外周面に形成された円板状供給部材（61）を間欠的に回転させることにより、粒体（5）を粒体収納ケース（50）から筒状取出口（20）に供給する間欠回転形の供給機構であり、円板状供給部材（61）の両側に、粒体収納ケース（50）に連通する供給側通路（65）と筒状取出口（20）に連通する排出側通路（66）を有する筒状部材（64）を備え、上記駆動機構（70）が、上記押しボタン（31）を押し込むことにより上記円板状供給部材（61）を間欠的に回転させるラチェット（71）を有する機構により構成されていることを特徴としている。
【００１２】
この第３の考案では、押しボタン（31）を押し込むことにより、ラチェット（71）が間欠的に回転する。ラチェット（71）が間欠的に回転すると、円板状供給部材（61）も間欠的に回転する。円板状供給部材（61）は、外周面に粒体収納凹部（62）を有しており、この粒体収納凹部（62）が供給側通路（65）を介して粒体収納ケース（50）の内部に連通しているときには該粒体収納凹部（62）に粒体（5）が１つ入り込む。そして、押しボタン（31）を数回押し込んでラチェット（71）とともに円板状供給部材（61）を所定角度回転させると、粒体収納凹部（62）が排出側通路（66）を介して筒状取出口（20）に連通し、粒体収納凹部に入っていた粒体（5）を筒状取出口（20）から取り出せるようになる。このように、本考案では、押しボタン（31）の押し込み動作による直線運動をラチェット（71）の回転運動に変換することにより、粒体（5）を１つずつ取り出せる。
【００１３】
第４の考案は、第１から第３の考案の何れか１つにおいて、上記粒体収納ケース（50）が透光性を有する材料により形成され、上記ケーシング（10）には、上記粒体収納ケース（50）内の粒体（5）の残量を該部から確認するための残量表示用スリット（15）が形成されていることを特徴としている。
【００１４】
この第４の考案では、粒体収納ケース（50）に透光性を持たせるとともにケーシング（10）に残量表示用スリット（15）を形成しているので、粒体（5）の残量をケーシング（10）の外から目視で確認できる。
【００１５】
第５の考案は、第１から第４の考案の何れか１つにおいて、上記ケーシング（10）に装着して上記筒状取出口（20）を覆うキャップ（40）を備え、上記キャップ（40）の縁部が、上記押しボタン（31）の押し込み動作を阻止するストッパ（41）になっていることを特徴としている。
【００１６】
この第５の考案では、ケーシング（10）にキャップ（40）を装着すると押しボタン（31）を誤って押すことを防止できる。
【考案の効果】
【００１７】
本考案によれば、ネイルアートの作業をする人がケーシング（10）を手に持って押しボタン機構（30）を１回押し込む操作を行うだけで、粒体収納ケース（50）から筒状取出口（20）へ粒体（5）が一つずつ供給されるので、粒体取り付け具をほとんど動かさずに、ジェルなどを塗布した装飾対象の爪に１粒ずつ容易に取り付けることができる。したがって、粒体（5）が入っている容器と爪の間でピンセットやスティックを行き来させながら行っていた従来の作業に比べて、粒体（5）で爪を装飾する作業を容易に行うことができる。また、作業時間も短縮することができる。
【００１８】
また、粒体（5）を粒体収納ケース（50）から筒状取出口（20）に供給する作業と、筒状取出口（20）から粒体（5）を１粒ずつ取り出す作業を別々の機構の別々の操作で行う構成は容易に考えられるが、本考案ではこれらの機能を押しボタン機構（30）の1回の操作に持たせており、この粒体取り付け具では押しボタン（31）を１回押し込むだけで粒体（5）を１粒取り出すことができるので、操作を簡単に行えるとともに機構も簡素化できる。
【００１９】
上記第２の考案によれば、押しボタン（31）の操作を例えば作業をする人が人差し指で押し込むだけで簡単に行えるので、操作性を高めることができる。
【００２０】
上記第３の考案によれば、押しボタン（31）の押し込み操作による直線動作をラチェット（71）の回転動作に変換するようにしているので、押しボタン（31）を１回押し込むだけで粒体（5）を１粒供給できる機構を容易に実現できる。
【００２１】
上記第４の考案によれば、粒体収納ケース（50）に透光性を持たせるとともにケーシング（10）に残量表示用スリット（15）を形成し、粒体（5）の残量をケーシング（10）の外から目視で確認できるようにしているので、この粒体取り付け具を使用している人が交換時期を容易に知ることができる。
【００２２】
上記第５の考案によれば、ケーシング（10）にキャップ（40）を装着すると押しボタン（31）を誤って押すことがなくなるので、粒体（5）が誤って飛び出すのを防止できる。
【図面の簡単な説明】
【００２３】
【図１】図１は、本考案の実施形態に係るネイルアートの粒体取り付け具の斜視図である。
【図２】図２は、図１のII−II線拡大断面図である。
【図３】図３は、図２のIII−III線断面における斜視図である。
【図４】図４は、図２のIV−IV線断面における斜視図である。
【図５】図５は、上ケーシングに押しボタン機構を装着して該上ケーシングを内面側から視た斜視図である。
【図６】図６は、押しボタン機構を裏側から見た斜視図である。
【図７】図７は、粒体収納ケースと粒体供給機構と筒状取出口とを組み立てたサブアセンブリの斜視図である。
【図８】図８は、本実施形態の粒体取り付け具の使用状態を示す斜視図である。
【考案を実施するための形態】
【００２４】
以下、本考案の実施形態を図面に基づいて詳細に説明する。
【００２５】
本実施形態に係るネイルアートの粒体取り付け具（1）は、ブリオン（5）やスタッズと呼ばれる小さな粒体で爪を装飾するのに用いられるものである。この粒体取り付け具（1）は、図１に示すようにペン型の器具であり、人が操作することにより、内部に収納されている多数のブリオン（5）を、この取り付け具（1）のペン先に相当する部分に設けられている筒状取出口（20）から１粒ずつ取り出せるように構成されている。
【００２６】
図１に示すように、この粒体取り付け具（1）は、細長い円筒状容器であるケーシング（10）と、その先端部に設けられている上記筒状取出口（20）と、ケーシング（10）の外周面の先端寄りに設けられた押しボタン機構（30）とを備えている。また、ケーシング（10）の先端部には、仮想線で示すようにキャップ（40）を装着できるようになっており、粒体取り付け具（1）を用いない場合には、このキャップ（40）により筒状取出口（20）が保護されるようになっている。
【００２７】
図２は図１の図１のII−II線拡大断面図、図３は図２のIII−III線断面における斜視図、図４は図２のIV−IV線断面における斜視図である。図示するように、この粒体取り付け具（1）は、図３，４にドットで示している多数のブリオン（5）を収納した粒体収納ケース（50）と、この粒体収納ケース（50）と上記筒状取出口（20）との間に装着され、粒体収納ケース（50）から筒状取出口（20）へ筒状部材（64）を介してブリオン（5）を一つずつ供給する粒体供給機構（60）と、上記押しボタン機構（30）で押しボタン（31）を１回押し込む操作を行うことにより、上記粒体供給機構（60）にブリオン（5）を１つ供給する供給動作を行わせる駆動機構（70）とを備えている。
【００２８】
上記ケーシング（10）は、このケーシング（10）を円筒の長手方向の中心線に沿って２つに分割した形状の上ケーシング（11）と下ケーシング（12）を備えている。上ケーシング（11）と下ケーシング（12）は互いに接合されている。ケーシング（10）の内部には、上記粒体収納ケース（50）と粒体供給機構（60）とが収納されている。また、ケーシング（10）は、上記筒状取出口（20）をケーシング（10）の先端から突出する状態で保持している。筒状取出口（20）は、ブリオン（5）が１粒ずつ通過することが可能な内孔（21）を有している。
【００２９】
図５は、上ケーシング（11）に押しボタン機構（30）が装着された状態で、この上ケーシング（11）を内面側から視た斜視図、図６は、押しボタン機構（30）を裏側から見た斜視図、図７は、粒体収納ケース（50）と粒体供給機構（60）と筒状取出口（20）とを組み立てたサブアセンブリの斜視図である。
【００３０】
上記押しボタン機構（30）は、上記ケーシング（10）の外周面から突出する押しボタン（31）をケーシング（10）の中心に向かって押し込むことができるように構成されている。上記粒体供給機構（60）は、上記粒体収納ケース（50）の内部と上記筒状取出口（20）の内部のいずれにも連通可能な複数の粒体収納凹部（62）が外周面に形成された円板状供給部材（61）を間欠的に回転させることにより、ブリオン（5）を粒体収納ケース（50）から筒状取出口（20）に供給する間欠回転形の供給機構である。
【００３１】
この粒体供給機構（60）は、内部にブリオン（5）が通る通路が形成された筒状部材（64）の中央部に設けられており、筒状部材（64）の後方の端部が粒体収納ケース（50）に接続され、前方の端部が筒状取出口（20）に接続されている。筒状部材（64）は、粒体収納ケース（50）の内部に連通する供給側通路（65）と、筒状取出口（20）の内部に連通する排出側通路（66）を有している。
【００３２】
また、上記駆動機構（70）は、上記押しボタン（31）を押し込むことにより間欠的に回転するラチェット（71）を有する間欠駆動機構であり、このラチェット（71）に上記円板状供給部材（61）が連動するようになっている。
【００３３】
押しボタン機構（30）は、楕円形の板状部材で形成された押しボタン（31）と、この押しボタン（31）とケーシング（10）との間に介在する状態で装着されたスプリング（35）とを備えている。スプリング（35）は、ケーシング（10）のスプリングホルダ（13）に装着されている。押しボタン（31）の裏面には、ケーシング（10）に形成されているガイド孔（14）（図２）に挿入される一対のガイド板（32）が設けられていて、このガイド板（32）により押しボタン（31）の押し込み動作がガイドされるようになっている。ガイド板（32）の先端には、外向きに突出する抜け止め突部（32a）が形成されている。上記スプリング（35）は、抜け止め突部（32a）がケーシング（10）の裏面と係合する位置まで押しボタン（31）を突出する方向へ付勢しているが、人が操作をして外部からの力を加えると、押しボタン（31）をケーシング（10）の内側へ向かって押し込むことができるように付勢力が設定されている。
【００３４】
押しボタン（31）の裏面には、上記駆動機構（70）のラチェット（71）を間欠的に回転させるためのラチェット駆動片（33）が形成されている。ラチェット駆動片（33）は、押しボタン（31）の裏面において、ガイド板（32）に対してケーシング（10）の先端側となる位置に設けられている。
【００３５】
粒体供給機構（60）に設けられている上記円板状供給部材（61）と、駆動機構（70）に設けられている上記ラチェット（71）は、１つの中心軸（74）の周りで一体に回転するように構成されている。
【００３６】
上記粒体収納凹部（62）は上記円板状供給部材（61）の外周を６等分する位置に形成されている。この粒体収納凹部（62）は、粒体収納ケース（50）の内部に連通する供給側通路（65）に６つのうちの１つが連通し、筒状取出口（20）の内部に連通する排出側通路（66）に６つのうちの他の１つが連通するように形成されている。供給側通路（65）と排出側通路（66）は、それぞれブリオン（5）が１粒ずつ通過する内径に形成され、粒体収納凹部（62）はブリオン（5）を１粒だけ保持するサイズに形成されている。
【００３７】
上記駆動機構（70）に設けられているラチェット（71）は、６０度間隔で歯（71a）を有し、これらの歯（71a）の一つに、ラチェット（71）の下方において筒状部材（64）の環状部（73）に取り付けられている板ばね（72）が当接するようになっている。ラチェット（71）を図４において時計回り方向に回転させると６０度ごとに板ばね（72）がラチェット（71）を位置決めするので、ラチェット（71）は６０度ずつ回転するようになっている。
【００３８】
また、上記押しボタン（31）には、上述したようにラチェット駆動片（33）が形成されており、押しボタン（31）をケーシング（10）に対して押し込む操作をすると、ラチェット（71）の歯（71a）がラチェット駆動片（33）で押されることにより、ラチェット（71）が図４の時計回り方向へ６０度回転する。円板状供給部材（61）には６０°間隔で粒体収納凹部（62）が形成されているので、供給側通路（65）に連通している粒体収納凹部（62）に入っているブリオン（5）は、押しボタン（31）を１回押し込むと排出側通路（66）へ向かって６０°進む。そして、押しボタン（31）を３回押し込むと供給側通路（65）に連通した位置から１８０°回転して、ブリオン（5）が排出側通路（66）に供給される。以降は、押しボタン（31）を一回押し込むごとに円板状供給部材（61）がラチェット（71）と一緒に６０°回転し、ブリオン（5）が１粒ずつ排出側通路（66）に供給される。この粒体取り付け具（1）は筒状取出口（20）を下向きにするようにして使用するものであるので、押しボタン（31）を１回押し込むごとに、ブリオン（5）が筒状取出口（20）から自重で１粒ずつ排出されることになる。
【００３９】
一方、上記粒体収納ケース（50）は、透光性を有する材料により形成されていて、ケーシング（10）の長手方向にのびる突部により形成された残量表示部（51）を有している。また、ケーシング（10）には、残量表示部（51）と嵌合する残量表示用スリット（15）が形成されている。したがって、この構成によれば、粒体収納ケース（50）内のブリオン（5）の残量を、残量表示用スリット（15）内の残量表示部（51）を通して確認することができる。
【００４０】
また、上記キャップ（40）は、上記ケーシング（10）に装着して上記筒状取出口（20）を覆う部材であるとともに、上記キャップ（40）の後端側の縁部が、上記押しボタン（31）の押し込み動作を阻止するストッパ（41）になっている。具体的には、図４に示すように、キャップ（40）をケーシング（10）に被せると、キャップ（40）の後端側の縁部がケーシング（10）と押しボタン（31）の間に位置する状態になってストッパ（41）になり、このときにキャップ（40）の後端側の縁部が押しボタン（31）の押し込み量を規制して、ラチェット（71）の回転が規制される。
【００４１】
−使用方法−
次に、このネイルアートの粒体取り付け具（1）の使用方法を図８を用いて説明する。
【００４２】
この粒体取り付け具（1）は、いわゆるネイルサロンのようなネイルアートを専門に行う店舗で、ネイリストやマニキュアリストと呼ばれる専門家が客の爪に装飾を施す際に用いられる。
【００４３】
具体的には、まず、ネイルアートを施す客の爪にジェルを塗布する。次に、ジェルが硬化しないうちに、この粒体取り付け具（1）を用いてブリオン（5）を爪にちりばめて爪に装飾を施す。
【００４４】
粒体取り付け具（1）は、ペンを持つような形で手に持って操作する。例えば、人差し指を押しボタン（31）に乗せながら、筒状取出口（20）が斜め下方を向く状態にして他の指でケーシング（10）を全体的に支える。その状態で筒状取出口（20）を装飾対象の爪に近づけて押しボタン（31）を押し込む。そうすると、ブリオン（5）が自重によって筒状取出口（20）から出ていくので、そのブリオン（5）を１粒ずつ、爪に塗布されているジェルに乗せ、筒状取出口（20）を用いて位置を微調整しながらジェルに押し付ける。そして、この作業を何度か繰り返し、ジェル上にブリオン（5）で装飾を施す。
【００４５】
ブリオン（5）で爪を装飾する作業が終了すると、ジェルに紫外線やＬＥＤを照射してジェルを硬化させ、トップコートを施す。以上により、この粒体取り付け具（1）を用いて行うネイルアートの一連の作業が終了する。
【００４６】
−実施形態１の効果−
本実施形態によれば、ネイリストが取り付け具（1）のケーシング（10）を手に持って押しボタン機構（30）を指で１回押し込む操作を行うだけの簡単な操作で、粒体収納ケース（50）から筒状取出口（20）へブリオン（5）が一つずつ供給されるので、粒体取り付け具（1）をほとんど動かさずに、ジェルを塗布した爪にブリオン（5）を１粒ずつ容易に取り付けることができる。したがって、ブリオン（5）が入っている容器と爪の間でピンセットやスティックを行き来させながら行っていた従来の作業に比べて、ブリオン（5）を爪にちりばめる作業を容易に行うことができる。また、作業時間も短縮することができる。
【００４７】
また、本実施形態では、ブリオン（5）を粒体収納ケース（50）から筒状取出口（20）に供給する作業と、筒状取出口（20）からブリオン（5）を１粒ずつ取り出す作業を別々の機構の別々の操作で行うようにはしておらず、これらの機能を押しボタン機構（30）の１回の操作に併せ持たせている。したがって、この粒体取り付け具（1）では押しボタン（31）を１回押し込むだけでブリオン（5）を１粒取り出すことができるので、操作を簡単に行えるとともに機構も簡素化できる。
【００４８】
また、本実施形態によれば、押しボタン（31）の押し込み操作による直線動作をラチェット（71）の回転動作に変換する機構を採用したことにより、押しボタン（31）を１回押し込むだけでブリオン（5）を１粒供給できる機構を容易に実現できる。
【００４９】
さらに、本実施形態によれば、粒体収納ケース（50）に透光性を持たせるとともにケーシング（10）に残量表示用スリット（15）を形成し、ブリオン（5）の残量をケーシング（10）の外から目視で確認できるようにしているので、この粒体取り付け具（1）を交換する目安を知ることができる。
【００５０】
また、本実施形態によれば、ケーシング（10）にキャップ（40）を装着すると押しボタン（31）を誤って押すことがなくなるので、ブリオン（5）が誤って飛び出すのを防止できる。
【００５１】
《その他の実施形態》
上記実施形態については、以下のような構成としてもよい。
【００５２】
例えば、上記実施形態によれば、ケーシング（10）に残量表示用スリット（15）を設けてブリオン（5）の残量を確認できるようにしているが、この残量表示用スリット（15）は必ずしも設けなくてもよい。
【００５３】
また、本実施形態ではキャップ（40）を押しボタン機構（30）のストッパ（41）にしているが、この構成も必ずしも採用しなくてもよい。
【００５４】
なお、以上の実施形態は、本質的に好ましい例示であって、本考案、その適用物、あるいはその用途の範囲を制限することを意図するものではない。
【産業上の利用可能性】
【００５５】
以上説明したように、本考案は、ブリオンで爪を装飾するのに用いるネイルアートの粒体取り付け具について有用である。
【符号の説明】
【００５６】
1   ネイルアートの粒体取り付け具
10  ケーシング
20  筒状取出口
30  押しボタン機構
31  押しボタン
40  キャップ
50  粒体収納ケース
52  残量表示用スリット
60  粒体供給機構
61  円板状供給部材
62  粒体収納凹部
70  駆動機構
71  ラチェット
【図１】
0003192966.tif 000003
【図２】
0003192966.tif 000004
【図３】
0003192966.tif 000005
【図４】
0003192966.tif 000006
【図５】
0003192966.tif 000007
【図６】
0003192966.tif 000008
【図７】
0003192966.tif 000009
【図８】
0003192966.tif 000010